(57)【特許請求の範囲】
【請求項１】
徘徊患者等によって携帯された携帯型発信機（Ｔ１）から周期的に間欠発信される被検出信号（ｆ２）を検出する受信機（Ｒ１）を備え、
前記携帯発信機は、キャリア（ｆ１）を発信ベース信号（Ｓ１）で位相変調して間欠発信される前記被検出信号を形成し、
前記受信機は、受信した被検出信号（Ｓ２）に、前記被検出信号を所定時間遅延させた遅延信号（Ｓ３）を乗算する第１の乗算器（１６）と、前記第１の乗算器からの出力信号を積分する積分器（１８）と、前記積分器からの積分出力信号（Ｓ４）に、前記積分出力信号を所定時間遅延させた遅延信号（Ｓ５）を乗算して前記被検出信号の有無を直流レベルの変化として検出する第２の乗算器（１９）とを備えたことを特徴とする患者等の検出装置。
【請求項２】
前記受信機は、前記第２の乗算器からの出力信号をパルス幅検出して前記被検出信号のパルス幅（ｔ１）を弁別するパルス幅検出回路（２１）と、パルス幅検出された信号を周期検出して前記間欠発信され受信した前記被検出信号の周期（ｔ２）を弁別する周期検出回路（２２）とを備えたことを特徴とする請求項１記載の患者等の検出装置。
【発明の詳細な説明】
【０００１】
【発明の属する技術分野】
この発明は患者等の検出装置に関し、特に振幅性のノイズによる受信機の誤動作を解消する患者等の検出装置に係わる。
【０００２】
【従来の技術】
従来より、図４（ａ）に示すような携帯型送信機Ｔ２と、受信機Ｒ２と、表示器Ｈ２とで構成された患者等の検出装置が知られている。
受信機Ｒ２は、図４（ｂ）に示すようにアンテナ５１と、高周波増幅回路５２と、ＡＭ検波回路５３と、波形整形回路５４とを有し、アンテナ５１は高周波増幅回路５２、ＡＭ検波回路５３を介して波形整形回路５４に接続されている。
【０００３】
このように構成された患者等の検出装置を病院で使用する場合においては、徘徊患者等に携帯型送信機Ｔ２を携帯してもらい、受信機Ｒ２は病室出入口等の検出位置に設置される。
携帯型送信機Ｔ２から送信される被検出信号ｆ１１は、図４のＳに示すようなキャリア周波数４５０ＫＨｚ、周期０．５ｓｅｃ、パルス幅１ｍｓｅｃの信号となっており、たえず間欠発信されている。
【０００４】
受信機Ｒ２は、携帯型送信機Ｔ２から間欠発信された被検出信号ｆ１１をアンテナ５１で受信し、高周波増幅回路５２で増幅する。増幅された携帯型送信機Ｔ２からの信号はＡＭ検波回路５３で検波され、波形整形回路５４で波形整形されたのち出力され（ＯＵＴ）、表示器Ｈ２へ発報出力される。
【０００５】
【発明が解決しようとする課題】
このような患者等の検出装置では、受信機に振幅性ノイズが入力されると、検波出力にノイズが出力され、誤動作するという難点があった。
本発明はこのような難点を解決するために、振幅性のノイズによる受信機の誤動作を解消する患者等の検出装置を提供することを目的としている。
【０００６】
【課題を解決するための手段】
前述した目的を達成するため、本発明による患者等の検出装置は、徘徊患者等によって携帯された携帯型発信機から周期的に間欠発信される被検出信号を検出する受信機を備えている。
携帯型発信機は、キャリアを発信ベース信号で位相変調して間欠発信される被検出信号を形成する。
【０００７】
受信機は、受信した被検出信号に、被検出信号を所定時間遅延させた遅延信号を乗算する第１の乗算器と、第１の乗算器からの出力信号を積分する積分器と、積分器からの積分出力信号に、積分出力信号を所定時間遅延させた遅延信号を乗算して被検出信号の有無を直流レベルの変化として検出する第２の乗算器とを備えている。
【０００８】
このように患者等の検出装置では携帯型発信機から位相変調されたキャリアを出力し、受信機側では受信信号とその遅延信号を使用して位相復調し、復調信号の周波数を検出して、送信時間が一定時間以上あるかを判別しているので、振幅性のノイズによる受信機の誤動作を解消することができる。
【０００９】
【発明の実施の形態】
以下、本発明による患者等の検出装置の好ましい実施の形態例を示す図面を参照して詳述する。
図１、図２に示すような本発明による患者等の検出装置は、徘徊患者等によって携帯された携帯型発信機Ｔ１から周期的に間欠発信される被検出信号ｆ２を検出する受信機Ｒ１を備えている。
【００１０】
携帯型発信機Ｔ１は、キャリアｆ１を発信ベース信号Ｓ１で位相変調して間欠発信される被検出信号ｆ２を形成するものである。
図１に示すように携帯型発信機Ｔ１は、１０．６４５ＭＨｚのキャリアｆ１を発振する発振回路１ａ、２．０４８ｋＨｚの発信ベース信号Ｓ１を発振する発振回路１ｂと、ＥＸ−ＯＲ回路２と、周期０．５ｓｅｃ、パルス幅１５．６２５ｍｓｅｃの信号タイミングジェネレータ３と、アナログスイッチ４と、増幅回路５と、発信機アンテナ６とを備え、発振回路１ａ、１ｂがＥＸ−ＯＲ回路２の入力側に接続され、出力側にはタイミングジェネレータ３に接続されたアナログスイッチ４が接続されている。アナログスイッチ４は、増幅回路５を介して発信機アンテナ６に接続されている。
【００１１】
図２に示すように受信機Ｒ１は、被検出信号ｆ２を受信する受信機アンテナ１１と、受信した信号を増幅する高周波増幅回路１２と、受信した信号（ｆ１＝１０．６４５ＭＨｚ）と局部発振回路１４からの信号（１０．１９０３５ＭＨｚ）をミキシングしてＳ１＝２．０４８ＫＨｚの位相変調のかかった４５４．６５ＫＨｚ（＝１０．６４５ＭＨｚ−１０．１９０３５ＭＨｚ）の信号を出力するミキサー１３と、ミキサー１３の出力から４５４．６５ＫＨｚ帯域外の雑音成分を除去して受信被検出信号Ｓ２を生成するバンドパスフィルタ１５と、受信被検出信号Ｓ２に、受信被検出信号Ｓ２を遅延素子１７により所定時間遅延させた遅延信号Ｓ３を乗算する第１の乗算器１６と、第１の乗算器１６からの出力信号を積分する積分器１８と、積分器１８からの積分出力信号Ｓ４に、積分出力信号Ｓ４を遅延素子２０により所定時間遅延させた遅延信号Ｓ５を乗算して被検出信号の有無を直流レベルの変化として検出し直流レベルに変換する第２の乗算器１９とを備えている。
【００１２】
遅延素子１７、２０は４５３．５ｂｉｔのシフトレジタで構成されており遅延時間はクロック信号ｃｋにより決定される。例えば、クロック信号ｃｋの周波数は３．７２ＭＨｚで遅延時間は１２１．９０８６０２２μｓｅｃ（図３）で、発信ベース信号（データ）Ｓ１の周期Ｔ＝１／２０４８＝４８８．２８μｓｅｃの１／４に設定される。また、この遅延時間はミキサー１３から出力される４５４．６５ＫＨｚの周期の整数倍ｎでもある。即ち、遅延時間１２１．９０８６０２２μｓｅｃ＝ｎ／２ｘ４５４．６５ＫＨｚが成立しなければならず、この場合ｎは約１１１である。
【００１３】
受信機Ｒ１は、第２の乗算器１９からの出力信号をパルス幅検出して被検出信号のパルス幅ｔ１（図１）を弁別するパルス幅検出回路２１と、パルス幅検出された信号を周期検出して間欠発信され受信した被検出信号の周期ｔ２を弁別する周期検出回路２２とを備えている。周期検出回路２２は表示器２３へ接続されている。
【００１４】
このように構成された本発明による患者等の検出装置において、徘徊患者等によって携帯された携帯型送信機Ｔ１の発振回路１ａ、１ｂは、それぞれ１０．６４５ＭＨｚのキャリアｆ１および２．０４８ＫＨｚの発信ベース信号Ｓ１（図３）が発振され、これらの信号はＥＸ−ＯＲ回路２に入力されることにより、キャリアｆ１を発信ベース信号（データ）Ｓ１で位相変調された信号Ｓ２とされる。ＥＸ−ＯＲ回路２からの信号Ｓ２はタイミングジェネレータ３で生成される周期０．５ｓｅｃ、パルス幅１５．６２５ｍｓｅｃ（図１▲１▼）のタイミングでアナログスイッチ４の出力をＯＮ／ＯＦＦすることにより、位相変調された信号Ｓ２は、図１▲２▼、▲３▼に示すようなキャリアになり、この信号は増幅回路５で増幅して発信機アンテナ６より被検出信号ｆ２として間欠発信される。即ち、図１▲３▼に示すようにキャリアｆ１が発信ベース信号（データ）Ｓ１で位相変調された信号Ｓ２とされ、これが図１▲２▼に示すように周期０．５ｓｅｃ、パルス幅１５．６２５ｍｓｅｃのタイミングで間欠発信される。
【００１５】
受信機Ｒ１は病室出入口等に設置してあり、携帯型送信機Ｔ１から間欠発信された被検出信号ｆ２を受信機アンテナ１１で受信する。受信された携帯型送信機Ｔ１からの被検出信号ｆ２を高周波増幅回路１２で増幅した後、ミキサー１３で受信信号（ｆ１＝１０．６４５ＭＨｚ）と局部発振回路１４からの信号（１０．１９０３５ＭＨｚ）をミキシングしてＳ１＝２．０４８ＫＨｚの位相変調のかかった４５４．６５ＫＨｚ（＝１０．６４５ＭＨｚ−１０．１９０３５ＭＨｚ）の信号を出力する。バンドパスフィルタ１５はミキサー１３の出力から４５４．６５ＫＨｚ帯域外の雑音成分を除去して受信した被検出信号ｆ２、即ちＳ１から受信被検出信号Ｓ２を生成する。
【００１６】
第１の乗算器１６で受信被検出信号Ｓ２に、被検出信号Ｓ２を遅延素子１７により所定時間遅延させた遅延信号Ｓ３を乗算する。この信号は、４５４．６５ＫＨｚの成分を含むのでこれを積分回路１８に入力し第１の乗算器１６からの出力信号を積分し信号Ｓ４を得る。第２の乗算器１９で積分器１８からの積分出力信号Ｓ４に、積分出力信号Ｓ４を遅延素子２０により所定時間１２１．９０８６０２２μｓｅｃ（＝Ｔ／４、Ｔ＝１／２０４８）遅延させた遅延信号Ｓ５を乗算して被検出信号の有無を直流レベルの変化として検出する。即ち、信号Ｓ４と遅延素子２０によって１２１．９０８６μｓｅｃ遅延させた信号Ｓ５とを乗算器１９に入力すると、図３に示すように位相変調のかかった信号が入力される間（送信パルス幅１５．６２５ｍｓｅｃ）、直流レベルが０になる信号が得られる。このようにして、送信機Ｔ１からの送信信号の送信時間が一定時間以上あるかを判別する。
【００１７】
即ち、この信号は送信機Ｔ１の送信パルス幅１５．６２５ｍｓｅｃ、周期０．５ｓｅｃ毎に繰返されて出力されるので、第２の乗算器１９からの出力信号をパルス幅検出回路２１でパルス幅検出して被検出信号のパルス幅ｔ１（図１）を弁別し、外来ノイズのため短時間出力される信号と区別する。また、周期検出回路２２において、パルス幅検出された信号を周期検出して間欠発信され受信した被検出信号の周期ｔ２を弁別する。パルス幅検出回路２１、周期検出回路２２においてそれぞれパルス幅ｔ１、周期ｔ２が検出されれば、徘徊患者等によって携帯された携帯型発信機Ｔ１から周期的に間欠発信される被検出信号ｆ２を受信機Ｒ１で検出し表示器２３において発報表示される。
【００１８】
なお、上記実施例ではシフトレジスタを使用した遅延素子を使用したが、他の遅延素子であってもよく同様の効果を奏する。
【００１９】
【発明の効果】
以上の説明から明らかなように本発明による患者等の検出装置によれば、携帯型発信機から位相変調されたキャリアを出力し、受信機側では受信信号とその遅延信号を使用して位相復調し、復調信号の周波数を検出して、送信時間が一定時間以上あるかを判別しているので、振幅性のノイズに強く誤動作を解消することができる。
【００２０】
また、本発明による患者等の検出装置によれば、一定パルス幅、一定周期で送信されているか判別した上で発報する構成としたため、ノイズに一層強く誤動作しにくい。
【図面の簡単な説明】
【図１】本発明による患者等の検出装置における携帯型発信機の一実施例を示すブロック図。
【図２】本発明による患者等の検出装置における受信機の一実施例を示すブロック図。
【図３】本発明による患者等の検出装置における各部の信号波形図。
【図４】（ａ）は従来の患者等の検出装置を示すブロック図、（ｂ）は従来の患者等の検出装置における受信機のブロック図。
【符号の説明】
Ｔ１・・・・・・携帯型発信機
Ｒ１・・・・・・受信機
１６・・・・・・第１の乗算器
１８・・・・・・積分器
１９・・・・・・第２の乗算器
２１・・・・・・パルス幅検出回路
２２・・・・・・周期検出回路
ｆ１・・・・・・キャリア
ｆ２・・・・・・被検出信号
Ｓ１・・・・・・発信ベース信号
Ｓ２・・・・・・受信した被検出信号
Ｓ３・・・・・・遅延信号
Ｓ４・・・・・・積分出力信号
Ｓ５・・・・・・遅延信号
ｔ１・・・・・・パルス幅
ｔ２・・・・・・周期
【図１】
0003586056.tif 000002
【図２】
0003586056.tif 000003
【図３】
0003586056.tif 000004
【図４】
0003586056.tif 000005